(57)【特許請求の範囲】
【請求項１】
車両の固定部に固定されるアンテナ保持体と、このアンテナ保持体に回動可能に保持され受信面が水平面に対して所定の角度に調整可能なアンテナ本体と、一端に重り部を有する垂直部とこの垂直部に連結され角度設定部とを有し上記アンテナ保持体に回動可能に支持される角度設定治具とを具備してなるアンテナ取付け角度設定装置。
【請求項２】
一端に硬貨を保持する硬貨保持部が形成された垂直部を有し、上記硬貨保持部に保持された硬貨を重りとする角度設定治具を具備してなる請求項１記載のアンテナ取付け角度設定装置。
【発明の詳細な説明】
【０００１】
【発明の属する技術分野】
本発明は、アンテナの取付け角度を所定の角度に設定するためのアンテナ取付け角度設定装置に関するものである。
【０００２】
【従来の技術】
図５、図６は、自動車に取付けるＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ、道路交通情報通信システム）用のアンテナを示している。図５、図６において、１は自動車のダッシュボード上などに取付けられる基台、２は基台１に矢印Ａ方向に回動可能に保持されたアンテナ保持体であり、このアンテナ保持体２の側面２ａにアンテナ本体３が軸４で矢印Ｂ方向に回動可能に保持されている。３ａはアンテナ本体３の受信面である。５はアンテナ保持体２の孔に挿入された調整用のビスであり、このビス５を緩めてアンテナ保持体２を矢印Ａ方向に動かしアンテナ保持体２がほぼ水平になるようにし、調整後ビス５を締めつけることにより調整を終了する。６はアンテナ保持体２の側面２ａの孔に挿入された調整用のビスであり、このビス６はアンテナ本体３の側面に形成された円弧状の長穴に挿入され、さらにアンテナ本体３内の基板のネジ穴に螺合される。ビス５を緩めてアンテナ本体３を矢印Ｂ方向に回動させアンテナ本体３の角度を調整した後に、ビス６を締め付けて調整を終了するものである。
【０００３】
上記基台１は自動車のダッシュボードなどの水平面に固定される。基台１をダッシュボードに固定した後に、図５に矢印Ａで示すように回動させながら、アンテナ保持体２がほぼ水平になるように目視により調整し、ビス５を締め付ける。次に分度器を使用し、図６に矢印Ｂで示すようにアンテナ本体３を軸４を中心にして回動させ、アンテナ本体３の受信面３ａが水平面Ｈに対して所定の角度（α）（例えばα＝４５°の前後の角度）になるように調整し、調整後ビス６を締め付ける。
【０００４】
上記ＶＩＣＳ用のアンテナは、道路を跨ぐように設置されたゲートなどに取付けられた光ビーコン路上アンテナと近赤外線の信号を送受信するものであり、道路上の広いエリアで送受信するために、車載用のアンテナ本体３の受信面３Ａを水平面に対して所定の角度（α）（例えば水平面に対して４５°前後の角度）に設定する必要があるものである。
【０００５】
【発明が解決しようとする課題】
しかしながら、上記従来例では、自動車が水平な道路上にあり、基台１が取付けられるダッシュボードなどの取付け面が水平面に対して平行であれば、分度器を使用してアンテナ本体３の受信面３ａを水平面に対して所定の角度に設定できるが、自動車が水平な道路上になく、また基台１が取付けられるダッシュボードなどの取付け面が水平でない場合、分度器を使用してアンテナ本体３の受信面３ａを水平面に対して所定の角度に設定できないものであった。
【０００６】
本発明は、上記従来の問題を解決するものであり、簡単な構成の治具を使用して簡単かつ確実にアンテナ本体の受信面を水平面に対して所定の角度に設定できるアンテナ取付け角度設定装置を提供するものである。
【０００７】
【課題を解決するための手段】
本発明は、上記目的を達成するために、重りを有する垂直部と、この垂直部に連結された角度設定部を有する角度設定治具を使用し、アンテナ本体の受信面を上記角度設定治具の角度設定部に平行になるようにアンテナ本体を調整することにより容易にアンテナ本体の受信面を所定の角度に設定するものである。
【０００８】
【発明の実施の形態】
本発明の請求項１記載の発明は、車両の固定部に固定されるアンテナ保持体と、このアンテナ保持体に回動可能に保持され受信面が水平面に対して所定の角度に調整可能なアンテナ本体と、一端に重り部を有する垂直部とこの垂直部に連結され角度設定部とを有し上記アンテナ保持体に回動可能に支持される角度設定治具とを具備するものであり、アンテナ本体の角度を調整しその受信面が、アンテナ保持体に回動可能に支持された角度設定治具の角度設定部に平行になるように調整することにより、アンテナ本体の受信面を水平面に対して所定の角度に容易に設定できるものである。
【０００９】
また、請求項２に記載の発明は、一端に硬貨を保持する硬貨保持部が形成された垂直部を有し、上記硬貨保持部に保持された硬貨を重りとする角度設定治具を使用するものであり、硬貨を重りとして利用するため、硬貨を除いた角度設定治具はその構造が簡単で安価に製造できるものである。
【００１０】
以下に、本発明の実施の形態について、図１〜図４とともに説明する。
（実施の形態１）
図１、図２は自動車に取付けるＶＩＣＳ（Ｖｅｈｉｃｌｅ  Ｉｎｆｏｒｍａｔｉｏｎ  Ｃｏｍｍｕｎｉｃａｔｉｏｎ  Ｓｙｓｔｅｍ、道路交通情報通信システム）用のアンテナを示している。図１、図２において、１は自動車のダッシュボード上などに取付けられる基台、２は基台１に矢印Ａ方向に回動可能に保持されたアンテナ保持体であり、このアンテナ保持体２の側面２ａにアンテナ本体３が軸４で矢印Ｂ方向に回動可能に保持されている。３ａはアンテナ本体３の受信面である。４ａは上記軸４に形成された穴である。
【００１１】
５はアンテナ保持体２の孔に挿入された調整用のビスであり、このビス５を緩めてアンテナ保持体２を矢印Ａ方向に動かしアンテナ保持体２がほぼ水平になるようにし、調整後ビス５を締めつけることにより調整を終了する。６はアンテナ保持体２の側面２ａの孔に挿入された調整用のビスであり、このビス６はアンテナ本体３の側面に形成された円弧状の長穴に挿入され、さらにアンテナ本体３内の基板のネジ穴に螺合される。ビス６を緩めてアンテナ本体３を矢印Ｂ方向に回動させアンテナ本体３の角度を調整した後に、ビス６を締め付けて調整を終了するものである。
【００１２】
本発明は、アンテナ本体３の受信面３ａを水平面に対して所定の角度（α）に容易に設定できるアンテナ取付け角度設定装置を提供するものである。図１はアンテナ取付け角度設定装置の一実施例を示している。図１において、１０は垂直部１０ａ，連結部１０ｂ，角度設定部１０ｃからなる角度設定治具であり、垂直部１０ａの先端には５００円硬貨などの硬貨１１を保持する半円形の硬貨保持部１０ｄが形成されている。１０ｅは垂直部１０ａと連結部１０ｂとの結合部に形成されたピンであり、このピン１０ｅは、上記軸４の穴４ａに挿入される。なお上記角度設定治具１０は樹脂成型などで製造される。
【００１３】
図４は角度設定治具１０のピン１０ｅを軸４の穴４ａに挿入して回動自在に保持した状態を示している。角度設定治具１０の垂直部１０ａは、この垂直部１０ａの下端に形成された硬貨保持部１０ｄに保持された硬貨１１が重りとなるため、ピン１０ｅを支点として垂直になる。このため、角度設定治具１０の角度設定部１０ｃは水平面（Ｈ）に対して所定の角度（α）（例えばα＝４５°前後の設定角度）になる。アンテナ本体３を軸４を中心にして回動させ、アンテナ本体３の受信面３ａが角度設定部１０ｃと平行になるようにしてビス６を締付ければ、アンテナ本体３の受信面３ａは水平面に対して所定の角度（α）に設定されるものである。なお、本実施例では、ダッシュボードなどの取付け面が水平でなくても、アンテナ本体３の受信面３ａを水平面（Ｈ）に対して所定の角度（α）に設定できるものである。
【００１４】
【発明の効果】
以上のように本発明によれば、重りを有する垂直部と、この垂直部に連結された角度設定部を有する角度設定治具を使用し、アンテナ本体の受信面を上記角度設定治具の角度設定部に平行になるようにアンテナ本体を調整することにより、容易にかつ確実にアンテナ本体の受信面を水平面に対して所定の角度に設定できるものである。また請求項２記載の発明によれば、硬貨を重りとして利用するため、角度設定治具の構成が簡単になり、角度設定治具を安価に製造できる利点を有するものである。
【図面の簡単な説明】
【図１】本発明の一実施の形態におけるアンテナ取付け角度設定装置の要部の斜視図
【図２】同実施の形態のアンテナの正面図
【図３】同実施の形態のアンテナの側面図
【図４】同実施の形態のアンテナ本体の取付け角度設定時の側面図
【図５】従来のアンテナの正面図
【図６】同従来例のアンテナの側面図
【符号の説明】
１  基台
２  アンテナ保持体
３  アンテナ本体
３ａ  受信面
４  軸
４ａ  穴
１０  角度設定治具
１０ａ  垂直部
１０ｂ  連結部
１０ｃ  角度設定部
１０ｄ  硬貨保持部
１０ｅ  ピン
１１  硬貨
【図１】
0003669050.tif 000002
【図２】
0003669050.tif 000003
【図３】
0003669050.tif 000004
【図４】
0003669050.tif 000005
【図５】
0003669050.tif 000006
【図６】
0003669050.tif 000007